(57)【特許請求の範囲】
【請求項１】
シールドフィンガーを電子機器等の対象物に取り付ける装置であって、
前記シールドフィンガーの押し込み部と、
前記押し込み部を上下左右に操作するレバー部と、
前記押し込み部を内部に収め、前記レバー部の上下左右の動きを許容するように前記レバー部が上面に通されたフレーム部と、
を備えたシールドフィンガーの取り付け装置。
【請求項２】
前記押し込み部は、支持軸と前記支持軸に回転可能に設けられたローラーとを備え、前記支持軸に前記レバー部の下端部が連結されており、
前記フレーム部の上面には、左右に延びる横ガイド溝が形成され、前記横ガイド溝にレバー部が通されており、
前記フレーム部の相対峙する側面には、縦ガイド溝と前記縦ガイド溝の下部から連続するように左右に延びる横ガイド溝とが形成され、前記ガイド溝に前記回転軸の端部が通されていることを特徴とする、請求項１に記載のシールドフィンガーの取り付け装置。
【請求項３】
前記フレーム部の上面と前記レバー部との間に圧縮バネが配置されていることを特徴とする、請求項１又は請求項２に記載のシールドフィンガーの取り付け装置。
【請求項４】
前記フレーム部の側面の下端に補助押し込み部を備えており、前記補助押し込み部は、前記シールドフィンガーを押し込んで開放状態とすると共に、前記開放状態のシールドフィンガーを収めることができる大きさの切り欠きが形成されていることを特徴とする、請求項１乃至請求項３のいずれか１項に記載のシールドフィンガーの取り付け装置。
【請求項５】
前記補助押し込み部は、前記フレーム部の側面の下端に着脱可能な構成とされており、シールドフィンガーの大きさ又は材質に応じて交換されることを特徴とする、請求項４に記載のシールドフィンガーの取り付け装置。
【請求項６】
前記補助押し込み部は弾性部材から成ることを特徴とする、請求項４又は請求項５に記載のシールドフィンガーの取り付け装置。
【請求項７】
前記フレーム部の側面には、前記縦ガイド溝に連続するように前記回転軸の端部の格納溝が形成されていることを特徴とする、請求項２に記載のシールドフィンガーの取り付け装置。
【請求項８】
前記ローラーの表面に凸部が形成されていることを特徴とする、請求項２に記載のシールドフィンガーの取り付け装置。
【発明の詳細な説明】
【技術分野】
【０００１】
本発明は、シールドフィンガーの取り付け装置に関する。
【背景技術】
【０００２】
特許文献１〜特許文献４に開示されているように、電子部品又は電子機器等の対象物に、電磁波の遮断用にシールドフィンガーを取り付ける技術が公知である。
【０００３】
具体的にいうと、特許文献１のシールドフィンガーを取り付ける技術は、湾曲した板バネ部分の両側に爪部分が形成されたシールドフィンガーを、素手で押し開き、対象物に形成された嵌め込み穴に前記爪部分を嵌め込むように閉じて、シールドフィンガーを対象物に取り付けている。この技術は、素手でシールドフィンガーを押し開くため、板バネ部分に均等に押し開くための力が加わらず、対象物への取り付けにバラツキが生じたり、シールドフィンガーが変形したりする課題がある。
【０００４】
特許文献２のシールドフィンガーを取り付ける技術は、湾曲した板バネ部分の両側に爪部分が形成されたシールドフィンガーを、フィンガーレールに通して一体化し、対象物に取り付けている。この技術は、材料費や金属加工費用、及び作業工数の増加に伴う労働費の増加による、生産コストが嵩む課題がある。また、シールドフィンガーをフィンガーレールに通す工程の追加により、単位時間当たりの生産量の低下や、作業をするための場所を確保しなければならない課題がある。
【特許文献１】特開２０００−４９４８５号公報
【特許文献２】特開２００３−２５８４７９号公報
【特許文献３】特開２００４−５５７５７号公報
【特許文献４】特開平７−４５３３５号公報
【発明の開示】
【発明が解決しようとする課題】
【０００５】
そのため、シールドフィンガーを対象物に直接、取り付けることができる装置が望まれているが、現状では見聞することができない。
【０００６】
本発明の目的は、シールドフィンガーを対象物に直接、取り付けることができるシールドフィンガーの取り付け装置を提供することである。
【課題を解決するための手段】
【０００７】
本発明に係るシールドフィンガーの取り付け装置は、
シールドフィンガーを電子機器等の対象物に取り付ける装置であって、
前記シールドフィンガーの押し込み部と、
前記押し込み部を上下左右に操作するレバー部と、
前記押し込み部を内部に収め、前記レバー部の上下左右の動きを許容するように前記レバー部が上面に通されたフレーム部と、
を備えている。
【発明の効果】
【０００８】
本発明によれば、シールドフィンガーを対象物に直接、取り付けることができる装置を提供することができる。
【発明を実施するための最良の形態】
【０００９】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１０】
＜実施形態１＞
本発明に係るシールドフィンガーの取り付け装置の実施形態１を、図１〜図６に基づいて説明する。このシールドフィンガーの取り付け装置（以下、取り付け装置と省略する場合がある。）１は、湾曲した板バネ部分２ａの両側に間隔を開けて爪部分２ｂが形成されたシールドフィンガー２を、電子部品又は電子機器等の対象物３に形成された嵌め込み穴３ａへ取り付ける際に好適に採用される。
【００１１】
図１に示す取り付け装置１は、シールドフィンガー２の押し込み部４と、押し込み部４を上下左右に操作するレバー部５と、押し込み部４を内部に収め、レバー部５の上下左右の動きを許容するようにレバー部５が上面６ａに通されたフレーム部６とを備えている。
【００１２】
押し込み部４は支持軸７とローラー８とを備えている。支持軸７はシールドフィンガー２の軸方向の長さより長い棒状部材である。ローラー８は、シールドフィンガー２を押し込んだ際に傷がつかないように、ゴムなどの弾性部材から成り、図４に示すように、シールドフィンガー２を押し広げることができる直径を有する。このローラー８は、シールドフィンガー２の長手方向にわたる略全域を押さえ込むことができるように複数、配置されており、支持軸７に軸受（図示は省略）を介して回転可能に設けられている。但し、ローラー８はシールドフィンガー２の一部を押し込むように配置されていても良い。
【００１３】
レバー部５はレバー本体９とハンドル１０とを備えている。レバー本体９の下端部は、支持軸７の略中央位置に連結されており、レバー本体９の上端部には、シールドフィンガー２の長手方向と略平行にハンドル１０が連結されている。
【００１４】
フレーム部６は、上面６ａとシールドフィンガー２の長手方向に配置される側面６ｂとを備えている。本実施形態では、より剛強に構成するために、シールドフィンガー２の短手方向に配置される側面６ｃも備えているが、省略しても良い。
【００１５】
このフレーム部６は、シールドフィンガー２の上方に配置した際に、両側面６ｂがシールドフィンガー２の長手方向の両端部上に配置されるように、シールドフィンガー２の長手方向の長さと略等しい長さを有する。但し、フレーム部６は、シールドフィンガー２より短くても良い。そして、フレーム部６は、詳細は後述するが、内部の押し込み部４を上下左右に移動させることができる幅寸法及び高さを有する。
【００１６】
フレーム部６の上面６ａには、レバー部５のレバー本体９をシールドフィンガー２の短手方向（左右方向）に動かすことができるように横ガイド溝１１が形成されている。この横ガイド溝１１にレバー本体９が通され、レバー本体９の上下左右の動きが許容されている。
【００１７】
フレーム部６の側面６ｂには、図２に示すように、縦ガイド溝１２と前記縦ガイド溝１２の下部から連続するように左右に延びる横ガイド溝１３とが形成されている。このガイド溝１２、１３に回転軸７の端部が通されている。なお、フレーム部６の側面６ｂには、さらに縦ガイド溝１２の上部に連続するように回転軸７の端部の格納溝１４が形成されていることが好ましい。格納溝１４は、縦ガイド溝１２に連続する横ガイド溝１４ａと前記横ガイド溝１４ａの端部から連続するように下方に延びる格納部１４ｂとを備えている。そのため、取り付け装置１を移動させるときや使用しないときは、回転軸７の端部を格納部１４ｂに挿入しておくと、押し込み部４が遊ぶことがなく、好都合である。
【００１８】
フレーム部６の側面６ｂの下端に補助押し込み部１５を備えている。補助押し込み部１５は、シールドフィンガー２を押し込んで開放状態とすると共に、図４に示すように開放状態のシールドフィンガー２を収めることができる大きさの切り欠き１６が形成されている。そのため、シールドフィンガー２を押し込み部４と補助押し込み部１５とで押し込むことができる。しかも、シールドフィンガー２を補助押し込み部１５で拘束しながら、押し込むことができ、対象物３への取り付けにバラツキが生じたり、シールドフィンガー２が変形したりすることを防ぐことができる。
【００１９】
ちなみに、補助押し込み部１５は、図２に示すように、フレーム部６の側面６ｂの下端に着脱可能な構成とされていることが好ましい。本実施形態では、フレーム部６の側面６ｂにネジのねじ込み穴が形成されている。補助押し込み部１５にネジの貫通穴が形成されている。フレーム部６の側面６ｂのねじ込み穴と、補助押し込み部１５の貫通穴とが同心位置に配置され、ネジがねじ込まれて補助押し込み部１５が固定されている。このネジを取り外して、補助押し込み部１５をシールドフィンガー２の大きさや材質に応じて、簡単に交換することができる。このとき、フレーム部６の側面６ｂの下端に凹み部１７を形成し、補助押し込み部１５の上面に前記凹み部１７に対応する凸部１８を形成しておくと、補助押し込み部１５をフレーム部６の側面６ｂの下端に取り付ける際に容易に位置決めすることができる。但し、補助押し込み部１５の着脱構造は、上記の限りでない。
【００２０】
また、補助押し込み部１５はゴム等の弾性部材から成ることが好ましい。シールドフィンガー２をより確実に拘束することができる。
【００２１】
このような構成の取り付け装置１は、以下のように用いてシールドフィンガー２を対象物３に取り付ける。
【００２２】
先ず、図１及び図３に示すように、対象物３上にシールドフィンガー２を配置する。このとき、対象物３の嵌め込み穴３ａ上に、前記嵌め込み穴３ａに嵌め込まれるシールドフィンガー２の爪部分２ｂが配置される。そして、シールドフィンガー２上に取り付け装置１を配置する。
【００２３】
次に、図４に示すように、レバー部５を操作して回転軸７の端部を、格納部１４ｂから横ガイド溝１４ａに沿って移動させて縦ガイド溝１２に導く。そして、フレーム部６を下方に押し込んで補助押し込み部１５でシールドフィンガー２の板バネ部分２ａの頂部を押し込みながら、拘束する。それと共に、回転軸７の端部が縦ガイド溝１２の下端部に接触するまで、レバー部５のハンドル１０を下方に押し、ローラー８でシールドフィンガー２の板バネ部分２ａの頂部を押し込んで、シールドフィンガー２を開放状態とする。
【００２４】
そして、図５に示すように、レバー部５を操作して横ガイド溝１３に沿ってローラー８を水平に移動させて、ローラー８でシールドフィンガー２の一方の側部を押し込んで、前記一方の側部を閉じた状態として爪部分２ｂを対象物３の嵌め込み穴３ａに嵌め込む。このとき、他方側の側部は、補助押し込み部１５の切り欠き１６の内壁に接触するので、この接触部分に反力をとって、一方の側部を良好に閉じた状態とすることができる。しかも、シールドフィンガー２が所定の位置からずれることがない。
【００２５】
さらに、図６に示すように、レバー部５を操作して横ガイド溝１３に沿ってローラー８を水平に移動させて、ローラー８でシールドフィンガー２の他方側の側部を押し込んで、前記他方側の側部を閉じた状態として爪部分２ｂを対象物３の嵌め込み穴３ａに嵌め込むと、シールドフィンガー２の取り付け作業が完了する。なお、ローラー８を横ガイド溝１３に沿って水平に移動させる際に、ローラー８がシールドフィンガー２の頂部と接触する。しかし、一旦、シールドフィンガー２の一方の側部が閉じた状態となって爪部分２ｂが嵌め込み穴３ａに嵌合されると、再び一方の側部を開いた状態とするには、大きな加重を必要とするので、水平移動するローラー８が接触する程度では、一方の側部が開いた状態とはならない。しかも、ローラー８を弾性部材で構成しているので、シールドフィンガー２の頂部を強く押し込むことがない。
【００２６】
このように、取り付け装置１はレバー部５を操作するだけで、シールドフィンガー２を対象物３に直接、取り付けることができる。そのため、作業経験者でなくとも、シールドフィンガー２を対象物３に簡単に取り付けることができる。しかも、生産コストを低減することができる。また、生産性が高く、場所を必要としない。特に、取り付け装置１をシールドフィンガー２上に配置するだけで、用いることができるので、対象物３が地面と水平に配置されていなくても、シールドフィンガー２を対象物３に取り付けることができる。
【００２７】
さらに、ローラー８を用いてシールドフィンガー２を押し広げるので、板バネ部分２ａに略均等に力を加えることができ、対象物３への取り付けにバラツキが生じたり、シールドフィンガー２が変形することがない。
【００２８】
＜実施形態２＞
上記実施形態１は、フレーム部６の側面６ｂにガイド溝１２、１３及び格納溝１４を形成したが、図７に示すように省略しても、実施することができる。つまり、押し込み部４をレバー部５によって上下左右に操作することができる構成であれば良い。側面６ｂのガイド溝１２、１３及び格納溝１４を省略することができるので、簡単に製造することができる。
【００２９】
このとき、図８に示すように、フレーム部６の上面６ａとレバー部５との間に圧縮バネ１９が配置されていることが好ましい。
【００３０】
具体的にいうと、フレーム部６の上面６ａにオーバル形状の貫通穴を有する筒状部２０が形成されている。この筒状部２０の貫通穴の下端部には、周縁に沿って内方に突出するフランジ部２１が形成されている。
【００３１】
レバー部５は、レバー本体９が筒状部２０内に通されている。このレバー本体９は、筒状部２０内において、大径部９ａと小径部９ｂとが切り替わるように構成されている。
【００３２】
フレーム部６の上面６ａにおける筒状部２０のフランジ部２１の上面と、レバー部５におけるレバー本体９の大径部９ａの下面との間に、圧縮バネ１９が配置されている。つまり、レバー部５と共に圧縮バネ１９も移動する構成とされており、ローラー８の上方への移動を補助する。但し、フレーム部６の上面６ａとレバー部５との間に圧縮バネ１９が配置されていれば良く、上記構成の限りでない。
【００３３】
＜実施形態３＞
上記実施形態１、２の取り付け装置は、ローラー８の表面が平坦に形成されているが、図９に示すように、ローラー８の表面に凸部２２が形成されていることが好ましい。シールドフィンガー２の板バネ部分２ａの形状が不均一なものであっても、対応することができる。
【００３４】
上記実施形態１、２の取り付け装置は、押し込み部４がローラー８を備えているが、シールドフィンガー２を押し込むことができれば、形状及び材質は特に限られない。
【００３５】
上記実施形態１、２の取り付け装置は、補助押し込み部１５を備えているが、省略しても良い。このとき、図１０に示すように、フレーム部６をシールドフィンガー２上に配置した際に相互が干渉しないように、フレーム部６は、脚部２３を備えた構成とされる。そのため、シールドフィンガー２の長さを問わずに用いることができる。
【００３６】
要するに、最も簡単な構成としては、図１１に示すように、フレーム部６の側面６ｂのガイド溝１２、１３及び格納溝１４を省略し、さらに補助押し込み部１５を省略した形態で実施できる。
【図面の簡単な説明】
【００３７】
【図１】本発明の実施形態１のシールドフィンガーの取り付け装置を用いて、シールドフィンガーを対象物に取り付ける形態を示した概略斜視図である。
【図２】補助押し込み部の着脱構成を示した概略側面図である。
【図３】シールドフィンガーの取り付け装置を用いて、シールドフィンガーを対象物に取り付ける工程を示した概略透視図である。
【図４】シールドフィンガーの取り付け装置を用いて、シールドフィンガーを対象物に取り付ける工程を示した概略透視図である。
【図５】シールドフィンガーの取り付け装置を用いて、シールドフィンガーを対象物に取り付ける工程を示した概略透視図である。
【図６】シールドフィンガーの取り付け装置を用いて、シールドフィンガーを対象物に取り付ける工程を示した概略透視図である。
【図７】本発明の実施形態２のシールドフィンガーの取り付け装置を用いて、シールドフィンガーを対象物に取り付ける形態を示した概略斜視図である。
【図８】フレーム部の上面とレバー部との間に圧縮バネが配置された形態を示した部分断面図である。
【図９】本発明の実施形態３のシールドフィンガーの取り付け装置を用いて、シールドフィンガーを対象物に取り付ける形態を示した概略斜視図である。
【図１０】本発明の実施形態３の異なるシールドフィンガーの取り付け装置を用いて、シールドフィンガーを対象物に取り付ける形態を示した概略斜視図である。
【図１１】本発明の実施形態３の異なるシールドフィンガーの取り付け装置を用いて、シールドフィンガーを対象物に取り付ける形態を示した概略斜視図である。
【符号の説明】
【００３８】
１  シールドフィンガーの取り付け装置
２  シールドフィンガー
３  対象物
４  押し込み部
５  レバー部
６  フレーム部
６ａ  フレーム部の上面
６ｂ  フレーム部の側面
７  支持軸
８  ローラー
１１  横ガイド溝
１２  縦ガイド溝
１３  横ガイド溝
１４  格納溝
１５  補助押し込み部
１６  切り欠き
１７  凹み部
１８  凸部
１９  圧縮バネ
２２  凸部
【図１】
0004650501.tif 000002
【図２】
0004650501.tif 000003
【図３】
0004650501.tif 000004
【図４】
0004650501.tif 000005
【図５】
0004650501.tif 000006
【図６】
0004650501.tif 000007
【図７】
0004650501.tif 000008
【図８】
0004650501.tif 000009
【図９】
0004650501.tif 000010
【図１０】
0004650501.tif 000011
【図１１】
0004650501.tif 000012